(57)【特許請求の範囲】
【請求項１】
複数のユーザ端末が接続された複数の有線又は無線ＬＡＮシステムと、
前記複数の有線又は無線ＬＡＮシステムとのアクセス回線を集線し、該アクセス回線を介してアクセスしてきた前記ユーザ端末を振分ける集線・振分け装置と、アクセスしてきた前記ユーザ端末の認証を行う認証部と、ＩＳＰ機能を有するＩＳＰ部とを有する集線・接続装置と、
を有する集線・接続システムおいて、
前記認証部は、サービス運営者が発行した、ランダムでテンポラリなＩＤ情報とパスワードとが記憶されている利用者情報データベースを有し、
前記認証部は、前記利用者情報データベースを参照し、前記ユーザ端末が送出した、ＩＤ情報とパスワードとを含むユーザ情報に基づいて、前記ユーザ端末を認証し、
前記集線・振分け装置は、前記認証部の認証結果に基づいて、
アクセスしてきた前記ユーザ端末からのＩＤ情報とパスワードとがサービス運営者が発行したものである場合は、前記ユーザ端末を、当該集線・接続装置が有する前記ＩＳＰ部に振り分け、
アクセスしてきた前記ユーザ端末からのＩＤ情報が、既存の個々のＩＳＰのＩＤである場合は、前記ユーザ端末を、ユーザ端末が契約している前記既存の個々のＩＳＰに振り分ける
ことを特徴とする集線・接続システム。
【請求項２】
複数のユーザ端末が接続された複数の有線又は無線ＬＡＮシステムとのアクセス回線を集線し、該アクセス回線を介してアクセスしてきた前記ユーザ端末を振分ける集線・振分け装置と、アクセスしてきた前記ユーザ端末の認証を行い、サービス運営者が発行した、ランダムでテンポラリなＩＤ情報とパスワードとが記憶されている利用者情報データベースを有する認証部と、ＩＳＰ機能を有するＩＳＰ部とを有する集線・接続装置における集線・接続方法おいて、
前記認証部は、前記利用者情報データベースを参照し、前記ユーザ端末が送出した、ＩＤ情報とパスワードとを含むユーザ情報に基づいて、前記ユーザ端末を認証し、
前記集線・振分け装置は、前記認証部の認証結果に基づいて、
アクセスしてきた前記ユーザ端末からのＩＤ情報とパスワードとがサービス運営者が発行したものである場合は、前記ユーザ端末を、当該集線・接続装置が有する前記ＩＳＰ部に振り分け、
アクセスしてきた前記ユーザ端末からのＩＤ情報が、既存の個々のＩＳＰのＩＤである場合は、前記ユーザ端末を、ユーザ端末が契約している前記既存の個々のＩＳＰに振り分ける
ことを特徴とする集線・接続方法。
【請求項３】
複数のユーザ端末が接続された複数の有線又は無線ＬＡＮシステムとのアクセス回線を集線し、該アクセス回線を介してアクセスしてきた前記ユーザ端末を振分ける集線・振分け装置と、アクセスしてきた前記ユーザ端末の認証を行い、サービス運営者が発行した、ランダムでテンポラリなＩＤ情報とパスワードとが記憶されている利用者情報データベースを有する認証部と、ＩＳＰ機能を有するＩＳＰ部とを有する集線・接続装置において、
前記認証部は、前記ユーザ端末のユーザ情報に基づいて、前記ユーザ端末を認証し、
前記集線・振分け装置は、前記認証部の認証結果に基づいて、
アクセスしてきた前記ユーザ端末からのＩＤ情報とパスワードとがサービス運営者が発行したものである場合は、前記ユーザ端末を、当該集線・接続装置が有する前記ＩＳＰ部に振り分け、
アクセスしてきた前記ユーザ端末からのＩＤ情報が、既存の個々のＩＳＰのＩＤである場合は、前記ユーザ端末を、ユーザ端末が契約している前記既存の個々のＩＳＰに振り分ける
ことを特徴とする集線・接続装置。
【請求項４】
請求項３記載の集線・接続装置において、
ユーザ毎に設定したホームページを立ち上げるプッシュＵＲＬ手段を有し、
前記プッシュＵＲＬ手段は、前記ユーザ端末がアクセスしてきたとき、前記ユーザ端末毎に、当該集線・接続装置が設定した所定のホームページを表示させることを特徴とする集線・接続装置。
【請求項５】
請求項３又は４記載の集線・接続装置において、
前記認証部の認証結果に基づいて、前記ユーザ端末をユーザ端末が契約しているＩＳＰに振り分ける場合、
前記集線・振分け装置は、ユーザ端末の契約しているＩＳＰとの間で、ユーザ端末の確認をした上で、前記ユーザ端末をユーザ端末が契約しているＩＳＰに振り分けることを特徴とする集線・接続装置。
【請求項６】
請求項３ないし５いずれか一項記載の集線・接続装置において、
前記当該集線・接続装置が有する前記ＩＳＰ部は、前記無線ＬＡＮシステムが設置された公衆スポットのＩＳＰ部として振る舞うことを特徴とする集線・接続装置。
【発明の詳細な説明】
【０００１】
【発明の属する技術分野】
本発明は、集線・接続システム、集線・接続方法及び集線・接続装置に関する。
【０００２】
【従来の技術】
個人のインターネットの利用には、自宅から利用する方法と公衆スポット（例えば、インターネットの利用ができる喫茶店）から利用する方法等とがある。
【０００３】
通常、自宅で利用しているＩＳＰ（Ｉｎｔｅｒｎｅｔ  Ｓｅｒｖｉｃｅ  Ｐｒｏｖｉｄｅｒ）と公衆スポットで利用可能なＩＳＰとは、異なっている。
【０００４】
【発明が解決しようとする課題】
従来のものは、公衆スポットで利用可能なＩＳＰが、自宅で利用しているＩＳＰと異なるため、使い勝手が悪いという問題がある。
【０００５】
また、個人の端末を公衆スポットのインターネット環境に接続することが難しく、個人の端末が、公衆スポットでは使用できないという問題がある。
【０００６】
また、店舗がインターネットを構築しようとすると、配線等の設備コストが大きく、インターネットの構築が難しいという問題がある
本発明は、上記問題に鑑みなされたものであり、個人の端末を公衆スポットのインターネット環境で利用可能とし、自宅と公衆スポットとで同じＩＳＰを利用可能とし、さらに、店舗が簡単にインターネットを構築することができるようにすることを目的とするものである。
【０００７】
【課題を解決するための手段】
上記課題を解決するために、本件発明は、以下の特徴を有する課題を解決するための手段を採用している。
【０００８】
請求項１に記載された発明は、複数のユーザ端末が接続された複数の有線又は無線ＬＡＮシステムと、
前記複数の有線又は無線ＬＡＮシステムとのアクセス回線を集線し、該アクセス回線を介してアクセスしてきた前記ユーザ端末を振分ける集線・振分け装置と、アクセスしてきた前記ユーザ端末の認証を行う認証部と、ＩＳＰ機能を有するＩＳＰ部とを有する集線・接続装置と、
を有する集線・接続システムおいて、
前記認証部は、サービス運営者が発行した、ランダムでテンポラリなＩＤ情報とパスワードとが記憶されている利用者情報データベースを有し、
前記認証部は、前記利用者情報データベースを参照し、前記ユーザ端末が送出した、ＩＤ情報とパスワードとを含むユーザ情報に基づいて、前記ユーザ端末を認証し、
前記集線・振分け装置は、前記認証部の認証結果に基づいて、
アクセスしてきた前記ユーザ端末からのＩＤ情報とパスワードとがサービス運営者が発行したものである場合は、前記ユーザ端末を、当該集線・接続装置が有する前記ＩＳＰ部に振り分け、
アクセスしてきた前記ユーザ端末からのＩＤ情報が、既存の個々のＩＳＰのＩＤである場合は、前記ユーザ端末を、ユーザ端末が契約している前記既存の個々のＩＳＰに振り分ける
ことを特徴とする。
【０００９】
請求項１記載の発明によれば、集線・振分け装置と、認証部と、ＩＳＰ部とを設け、認証部は、ユーザ端末を認証し、集線・振分け装置は、ユーザ端末を、ユーザ端末が契約しているＩＳＰか、又は、本集線・接続装置４０内のＩＳＰ部に振り分けることにより、個人の端末を簡単に公衆スポットのインターネット環境に接続可能とし、自宅における使用と公衆スポットで同じＩＳＰを利用できるようにし、さらに、店舗でインターネットを簡単に構築できるようにすることができる。
【００１２】
請求項２に記載された発明は、複数のユーザ端末が接続された複数の有線又は無線ＬＡＮシステムとのアクセス回線を集線し、該アクセス回線を介してアクセスしてきた前記ユーザ端末を振分ける集線・振分け装置と、アクセスしてきた前記ユーザ端末の認証を行い、サービス運営者が発行した、ランダムでテンポラリなＩＤ情報とパスワードとが記憶されている利用者情報データベースを有する認証部と、ＩＳＰ機能を有するＩＳＰ部とを有する集線・接続装置における集線・接続方法おいて、
前記認証部は、前記利用者情報データベースを参照し、前記ユーザ端末が送出した、ＩＤ情報とパスワードとを含むユーザ情報に基づいて、前記ユーザ端末を認証し、
前記集線・振分け装置は、前記認証部の認証結果に基づいて、
アクセスしてきた前記ユーザ端末からのＩＤ情報とパスワードとがサービス運営者が発行したものである場合は、前記ユーザ端末を、当該集線・接続装置が有する前記ＩＳＰ部に振り分け、
アクセスしてきた前記ユーザ端末からのＩＤ情報が、既存の個々のＩＳＰのＩＤである場合は、前記ユーザ端末を、ユーザ端末が契約している前記既存の個々のＩＳＰに振り分ける
ことを特徴とする。
【００１３】
請求項２記載の発明は、集線・接続装置における集線・接続方法である。
【００１６】
請求項３に記載された発明は、複数のユーザ端末が接続された複数の有線又は無線ＬＡＮシステムとのアクセス回線を集線し、該アクセス回線を介してアクセスしてきた前記ユーザ端末を振分ける集線・振分け装置と、アクセスしてきた前記ユーザ端末の認証を行い、サービス運営者が発行した、ランダムでテンポラリなＩＤ情報とパスワードとが記憶されている利用者情報データベースを有する認証部と、ＩＳＰ機能を有するＩＳＰ部とを有する集線・接続装置において、
前記認証部は、前記ユーザ端末のユーザ情報に基づいて、前記ユーザ端末を認証し、
前記集線・振分け装置は、前記認証部の認証結果に基づいて、
アクセスしてきた前記ユーザ端末からのＩＤ情報とパスワードとがサービス運営者が発行したものである場合は、前記ユーザ端末を、当該集線・接続装置が有する前記ＩＳＰ部に振り分け、
アクセスしてきた前記ユーザ端末からのＩＤ情報が、既存の個々のＩＳＰのＩＤである場合は、前記ユーザ端末を、ユーザ端末が契約している前記既存の個々のＩＳＰに振り分ける。
【００１７】
請求項３記載の発明は、請求項１記載の集線・接続システムに適した集線・接続装置を規定したものである。
【００２０】
請求項４に記載された発明は、請求項３記載の集線・接続装置において、ユーザ毎に設定したホームページを立ち上げるプッシュＵＲＬ手段を有し、前記プッシュＵＲＬ手段は、前記ユーザ端末がアクセスしてきたとき、前記ユーザ端末毎に、当該集線・接続装置が設定した所定のホームページを表示させることを特徴とする。
【００２１】
請求項４記載の発明によれば、ユーザ毎に設定したホームページを立ち上げるプッシュＵＲＬ手段により、ユーザ端末毎に、当該集線・接続装置が設定した所定のホームページを表示させることができる。
【００２２】
請求項５に記載された発明は、請求項３又は４記載の集線・接続装置において、前記認証部の認証結果に基づいて、前記ユーザ端末をユーザ端末が契約しているＩＳＰに振り分ける場合、前記集線・振分け装置は、ユーザ端末の契約しているＩＳＰとの間で、ユーザ端末の確認をした上で、前記ユーザ端末をユーザ端末が契約しているＩＳＰに振り分けることを特徴とする。
【００２３】
請求項５記載の発明によれば、ユーザ端末の契約しているＩＳＰとの間で、ユーザ端末の確認をした上で、ユーザ端末をユーザ端末が契約しているＩＳＰに振り分けることにより、確実に、ＩＳＰの振分けができる。
【００２４】
請求項６に記載された発明は、請求項３ないし５いずれか一項記載の集線・接続装置において、前記ＩＳＰ部は、前記無線ＬＡＮシステムが設置された公衆スポット（例えば、店舗）のＩＳＰ部として振る舞うことを特徴とする。
【００２５】
請求項６記載の発明によれば、ＩＳＰ部は、無線ＬＡＮシステムが設置された公衆スポットのＩＳＰ部として振る舞うことにより、例えば、店舗でインターネットを簡単に構築することができる。
【００２６】
【発明の実施の形態】
次に、本発明の実施の形態について図面と共に説明する。
【００２７】
図１は、本発明のシステム構成図の例である。
【００２８】
公衆スポットに設けられた無線ＬＡＮシステム１、２と、集線・接続装置４０と、アクセスネットワーク３０と、インターネット等のネットワーク５０、５１及び複数の既設ＩＳＰ６０から構成されている。
【００２９】
無線ＬＡＮシステム１、２は、店舗、駅、広場等の公衆の集まる場所に設置されている。複数のＰＤＡ（Ｐｅｒｓｏｎａｌ  Ｄｉｇｉｔａｌ  Ａｓｓｉｓｔａｎｔｓ）１０１、１１１、ノート型ＰＣ（Ｐｅｒｓｏｎａｌ  Ｃｏｍｐｕｔｅｒ）１０２、１１２等が、無線ＬＡＮシステム１、２のアクセスポイント２０１、２０２に接続されている。無線ＬＡＮとして、例えば、２．４ＧＨZ帯、５．２ＧＨZ帯、１９ＧＨZ帯の周波数が使用される。このとき、２５６ＫＢＰＳ〜２５ＭＢＰＳ又はそれ以上の通信速度の通信が可能となる。
【００３０】
なお、本実施例では、無線ＬＡＮインタフェースでの説明を行うが、ＰＤＡ、ＰＣ等及びアクセスポイントの双方のインタフェースカードを有線ＬＡＮ対応とすれば、有線ＬＡＮインタフェースでも実施可能である。
【００３１】
これらＰＤＡ１０１、１１１、ノート型ＰＣ１０２、１１２等には、無線ＬＡＮのインタフェースを行うＬＡＮインタフェースカードが挿入され、ＰＤＡ１０１、１１１、ノート型ＰＣ１０２、１１２等は、アクセスポイント２０１、２０２及びアクセスネットワーク３０を介して、集線・接続装置４０に接続される。
また、ＰＤＡ１０１、１１１、ノート型ＰＣ１０２、１１２等には、このサービスを受けるための認証用ソフトウエアが、予めインストールされている。
【００３２】
集線・接続装置４０は、集線・振分け装置４１、認証サーバ４３、インターネットサーバ４２及びルータ４４から構成されている。
【００３３】
集線・振分け装置４１は、無線ＬＡＮシステムとのアクセス回線を集線し、ユーザ端末のユーザ情報に基づいて、ユーザ端末を、ユーザ端末が契約しているＩＳＰ６０か、又は、ＩＳＰサーバ４２に振り分ける。
【００３４】
認証サーバ４３は、ユーザ端末が集線・振分け装置４１にアクセスしてきたとき、集線・振分け装置４１から、ユーザ情報を受けて、当該ユーザの認証を行う。認証サーバ４３は、利用者の情報を格納しているデータベースと本システムが契約しているＩＳＰの情報を格納している契約ＩＳＰデータベースとを有している。
【００３５】
インターネットサーバ４２は、ユーザが、既設のＩＳＰを利用していない場合に、ＩＳＰとして、ユーザのインターネットの利用をできるようにする。
【００３６】
ルータ４４は、信号パケットに付されているＩＰアドレスを参照して、ルーティングを行う。
【００３７】
図２に本発明の処理フローの例を示す。
【００３８】
公衆スポットにいる利用者は、予め定められた、本サービスを受けるための認証用ソフトウエアをインストールしておく（Ｓ１０）。また、無線ＬＡＮシステムの利用に先だって、無線ＬＡＮのセッテングをしておく（Ｓ１１）。
【００３９】
その状態で公衆スポットに来た利用者は、電源を入れる（Ｓ１２）。すると、集線・接続装置４０との間でセッションが確立される（Ｓ１３）。
【００４０】
詳細は後述するが、集線・接続装置４０は、利用者端末が送出したユーザ情報（ユーザＩＤ、パスワード等）に基づいて、利用者端末を認証し、当該利用者端末が、どのＩＳＰを利用するかを振り分ける（Ｓ１４）。この振り分けは、例えば、後述する図６に示す三つのフローにしたがって行われる。
【００４１】
その後、集線・接続装置４０は、後述する図５のプッシュＵＲＬ部１４６に、ユーザＩＤ対応でホームページ及びＵＲＬを設定する。これにより、ユーザ毎に立ち上げるホームページが設定され、利用者端末で当該ホームページを表示する（Ｓ１５）。利用者端末でブラウザの立ち上げを行うと、集線・接続装置４０が設定したホームページが先ず表示される（Ｓ１６）。
【００４２】
図３及び図４に、図２における認証・ＩＳＰ振分けの詳細を示す。図３は、利用者端末が、集線・接続装置４０内のインターネットサーバ４２を利用する場合であり、図４は、利用者端末が、既存のＩＳＰを利用する場合である。
【００４３】
図３は、利用者が既存のＩＳＰ６０を利用していない場合の例である。この場合、利用者は予めランダムでテンポラリなＩＤとパスワードを取得しておく。利用者が、ランダムでテンポラリなＩＤとパスワードを取得する方法には、種々あるが、例えば、サービスの運営者が、ＩＤとパスワードが記入されているカードを予め、多数作成し、公衆スポットにおいて利用者に発行するようにしてもよい。
【００４４】
図２において、ステップ１３で、集線・接続装置４０との間でセッションが確立されると、集線・接続装置４０は、利用者端末にユーザ情報を求める（Ｓ２０）。利用者端末では、予め、入手しておいたＩＤとパスワードを入力する（Ｓ２１）。集線・接続装置４０では、ＩＤとパスワードを受けると、認証サーバ４３に認証を求める。認証サーバ４３の利用者情報データベースには、サービス運営者が発行したＩＤ情報の全部又は一部及びパスワードを予め記憶・設定しておくこととする。認証サーバ４３では、利用者情報データベースを参照して、アクセスしてきた利用者端末のＩＤとパスワードが、サービスの運営者が発行したものであることを知り、その結果を、集線・接続装置４０に返す。集線・接続装置４０は、当該利用者端末を集線・接続装置４０内のインターネットサーバ４２に振り分ける（Ｓ２２）。
【００４５】
このとき、集線・接続装置４０は、装置内のインターネットサーバ４２に、公衆スポットの名称を付ける等により、無線ＬＡＮシステムが設置された公衆スポットのＩＳＰサーバとして振る舞うことが可能となる。
【００４６】
その後、集線・接続装置４０は、利用者端末にＩＰアドレスを付与して、利用者端末に送信する（Ｓ２３）。
【００４７】
図４は、利用者端末が、既存のＩＳＰ６０を利用する場合の例である。
【００４８】
図２において、ステップ１３で、集線・接続装置４０との間でセッションが確立されると、集線・接続装置４０は、利用者端末にユーザ情報を求める（Ｓ３０）。利用者端末では、既に利用しているＩＳＰ６０におけるＩＤとパスワードを入力する（Ｓ３１）。集線・接続装置４０では、ＩＤとパスワードを受けると、認証サーバ４３に認証を求める。認証サーバ４３の利用者情報データベースには、ＩＳＰに登録されている利用者のＩＤの全部又は一部を予め記憶・設定しておくこととする。認証サーバ４３では、利用者情報データベース１５１を参照して、アクセスしてきた利用者端末のＩＤが、サービスの運営者が発行したものでなく、契約しているＩＳＰのＩＤであることを知り、その結果を、集線・接続装置４０に返す（Ｓ３２）。そこで、集線・接続装置４０は、契約しているＩＳＰに、ユーザの認証を求める（Ｓ３３）。
【００４９】
契約しているＩＳＰがユーザを認証した場合、集線・接続装置４０は、利用者端末にＩＰアドレスを付与して、利用者端末に送信する（Ｓ３３）。
【００５０】
なお、ＩＰアドレスは、例えば、田中さんがＯＣＮのＩＳＰを利用している場合は、「ｔａｎａｋａ＠ＯＣＮ」のように、利用できるＩＳＰが分かるようにＩＰアドレスを割り当てる。
【００５１】
図５を用いて、集線・接続装置４０の機能ブロック及びデータベースの例を説明する。
【００５２】
図５では、集線・接続装置４０は、集線部１４１、認証部１４３、ＩＳＰ部１４４、ルータ部１４５、プッシュＵＲＬ部１４６、契約ＩＳＰデータベース１５０及び利用者データベース１５１から構成されている。
【００５３】
集線部１４１は、図１における集線・振分装置４１の一部に相当し、公衆スポットに設置された複数の無線ＬＡＮシステムとのアクセス回線を集線する。
【００５４】
認証部１４３は、図１における認証サーバ４３に相当し、アクセスしてきた利用者端末を、利用者情報データベース１５１を参照して、認証を行う。
【００５５】
ＩＳＰ部１４４は、図１におけるインターネットサーバ４２に相当し、既存のＩＳＰ６０を持っていないユーザに対して、ＩＳＰとなり、利用者端末のインターネットの利用を可能とする。
【００５６】
なお、ＩＳＰ部１４４を省いて、ユーザが契約しているＩＳＰへの認証・接続装置として動作させることも容易に実現できる。
【００５７】
ルータ部１４５は、図１におけるルータ４４に相当し、インターネットにおけるルータ機能を有する。また、振分け機能を有していてもよい。
【００５８】
プッシュＵＲＬ部１４６は、ユーザがブラウザを起動すると、ユーザ毎に指定したホームページを立ち上げる機能を有する。
【００５９】
契約ＩＳＰデータベース１５０は、本集線・接続装置４０と契約しているＩＳＰ情報を格納しているデータベースである。
【００６０】
利用者データベース１５１は、ＩＤ、パスワード等のユーザ情報を格納したデータベースである。ＩＤを検索キーにして、利用するＩＳＰが検索できる。
図６を用いて、図４におけるユーザの認証（既存サーバを利用する場合のユーザの認証方式）について、詳細に説明する。
【００６１】
既存サーバを利用する場合の認証方式には、三つの方式がある。（▲１▼、▲２▼、▲３▼は、図６の▲１▼、▲２▼、▲３▼に対応している。）
▲１▼集線・接続装置４０の認証サーバ４３が行う方式。
【００６２】
▲２▼集線・接続装置４０の集線・振分装置４１が行う方式。
【００６３】
▲３▼上記▲２▼の特殊な場合であり、Ｌ２ＴＰ（Layer  ２  Tunneling  Protocol）のＩＳＰに対して、集線・接続装置４０の集線・振分装置４１が行う方式。
【００６４】
集線・接続装置４０の認証サーバ４３が行う方式は、利用者からアクセス要求があり、利用者がユーザ名（ＩＤ情報）、パスワード等を投入する（Ｓ２０）。
それにより、ＩＳＰ機能付き集線・振分装置４０の集線・振分装置４１が、ユーザ名、パスワードを認証用サーバ４３に問い合わせる（Ｓ２１）。すると、認証サーバ４３は、ユーザ名、パスワードを既存ＩＳＰ１の認証用サーバ６１１に、Ｐｒｏｘｙ  Ｒａｄｉｕｓ機能を用いて、転送する（Ｓ２２）。認証用サーバ６１１は、自己のデータベースを参照して、ユーザの認証を行い、認証サーバ４３に応答を返す（Ｓ２３）。
【００６５】
また、ＩＳＰ機能付き集線・振分装置４０の集線・振分装置４１が行う方式は、利用者からアクセス要求があり、利用者がユーザ名（ＩＤ情報）、パスワード等を投入する（Ｓ３０）。それにより、集線・振分装置４１が、ユーザ名、パスワードを既存ＩＳＰ２の認証用サーバ６１２に問い合わせる（Ｓ３１）。すると、認証用サーバ６１２は、自己のデータベースを参照して、ユーザの認証を行い、集線・振分装置４１に応答を返す（Ｓ３２）。
【００６６】
最後の方式は、ＩＳＰが、Ｌ２ＴＰのプロトコルで通信を行うサーバの場合である。
【００６７】
この場合のＩＳＰ機能付き集線・振分装置４０の集線・振分装置４１が行う方式は、利用者からアクセス要求があり、利用者がユーザ名（ＩＤ情報）、パスワード等を投入する（Ｓ４０）。それにより、集線・振分装置４１が、ユーザ名、パスワードを、既存ＩＳＰ３のＬＮＳ（Ｌ２ＴＰ  Network  Server）に、Ｐｒｏｘｙ  ＬＣＰ／Ａｕｔｈ機能を用いて、転送する。既存ＩＳＰ３のＬＮＳ６２３が、ユーザ名、パスワードを既存ＩＳＰ３の認証用サーバ６１３に問い合わせる（Ｓ４２）。すると、認証サーバ６１３は、自己のデータベースを参照して、ユーザの認証を行い、集線・振分装置４１に応答を返す（Ｓ４３）。
【００６８】
本発明では、既存サーバを利用する場合における認証方式は、上記方式のいずれの方式でも実施することができる。
【００６９】
以上の通り、本発明の実施の形態によれば、公衆スポットにおける高速なインターネット環境を提供することができる。
【００７０】
また、利用者は、公衆スポットにおいても、自宅で契約したＩＳＰに、同じＩＤとパスワードでログインすることができる。
【００７１】
また、ＩＳＰの契約をしていない利用者も、臨時に発行されたランダムでテンポラリなＩＤとパスワードによって、インターネットにアクセスすることが可能となる。
【００７２】
また、利用者が、インターネットにアクセスするとき、利用者毎に設定した特定のポータルサイトに誘導することができる。
【００７３】
【発明の効果】
上述の如く本発明によれば、次に述べる種々の効果を奏することができる。
【００７４】
請求項１記載の発明によれば、集線・振分け装置と、認証部と、ＩＳＰ部とを設け、認証部は、ユーザ端末を認証し、集線・振分け装置は、ユーザ端末を、ユーザ端末が契約しているＩＳＰか、又は、本集線・接続装置４０内のＩＳＰ部に振り分けることにより、個人の端末を簡単に公衆スポットのインターネット環境に接続可能とし、自宅における使用と公衆スポットで同じＩＳＰを利用できるようにし、さらに、店舗でインターネットを簡単に構築できるようにすることができる。
【００７６】
請求項２記載の発明によれば、請求項１記載の集線・接続システムに適した集線・接続方法を提供することができる。
【００７８】
請求項３記載の発明によれば、請求項１記載の集線・接続システムに適した集線・接続装置を提供することができる。
【００８０】
請求項４記載の発明によれば、ユーザ毎に設定したホームページを立ち上げるプッシュＵＲＬ手段により、ユーザ端末毎に、当該集線・接続装置が設定した所定のホームページを表示させることができる。
【００８１】
請求項５記載の発明によれば、ユーザ端末の契約しているＩＳＰとの間で、ユーザ端末の確認をした上で、ユーザ端末をユーザ端末が契約しているＩＳＰに振り分けることにより、確実に、ＩＳＰの振分けができる。
【００８２】
請求項６記載の発明によれば、ＩＳＰ部は、無線ＬＡＮシステムが設置された公衆スポットのＩＳＰ部として振る舞うことにより、例えば、店舗でインターネットを簡単に構築することができる。
【００８３】
【図面の簡単な説明】
【図１】本発明のシステム構成図の例である。
【図２】本発明の処理フローの例である。
【図３】利用者が既存のＩＳＰを利用していない場合の例を説明するためのフローである。
【図４】利用者端末が、既存のＩＳＰを利用する場合の例を説明するためのフローである。
【図５】集線・接続装置の機能ブロック及びデータベースの例を説明するための図である。
【図６】既存サーバを利用する場合の認証方式を説明するための図である。
【符号の説明】
１、２    公衆スポット
１０    ＰＤＡ
２０    ノート型ＰＣ
３０    アクセスネットワーク
４０    集線・接続装置
４１    集線・振分装置
４２    インターネットサーバ（ＩＳＰ）
４３    認証サーバ
４４    ルータ
５０、５１    通信ネットワーク
６０    既存ＩＳＰ
６１１、６１２、６１３    既存サーバの認証用サーバ
６２１、６２２    ルータ
６２３    ＬＮＳ
１４１    集線部
１４３    認証部
１４４    ＩＳＰ部
１４５    ルータ部
１４６    プッシュＵＲＬ部
１５０    契約ＩＳＰデータベース
１５１    利用者データベース
【図１】
0004567173.tif 000002
【図２】
0004567173.tif 000003
【図３】
0004567173.tif 000004
【図４】
0004567173.tif 000005
【図５】
0004567173.tif 000006
【図６】
0004567173.tif 000007